(57)【要約】【課題】少ない構成部材によって、メモリアル体等の封入物を封入し、かつ、封入物との一体感が感じられる装身具を提供する。【解決手段】装身具１０は、一対の外装部材２０,３０と、装着部材４０と、封入物１２により構成される。装着部材４０は、一対の外装部材２０，３０の平面部２２，３２を対向させた状態でその周縁全周を把持する把持部４４と、平面部２２,３２を両面で受ける略リング状の台座部４４とからなる。封入物１２は、平面部２２,３２と台座部４４の端面４４Ｃにより形成された封入空間４８に封入されている。外装部材２０，３０は、透明又は半透明の膨出した成形体とし、封入物１２としてメモリアル体などを用いる。台座部４４の厚みは封入物１２の厚みと同程度とする。前記把持部４２の両縁部４２Ａ，４２Ｂの曲げ加工によって、封入物１２を挟んだ状態で外装部材２０，３０を把持し、固定する。【選択図】図１
2019097654.tif 000002
【特許請求の範囲】
【請求項１】
平面部と、該平面部と略直交する方向へ膨出した膨出部とを有する第１の外装部材と、
該第１の外装部材の平面部と略同一の形状の平面部を有し、該平面部と略直交する方向へ膨出した膨出部とを有する第２の外装部材と、
前記第１の外装部材の平面部と前記第２の外装部材の平面部が対向した状態で、これら第１及び第２の外装部材の周縁全周を把持する把持部と、該把持部の幅方向中央部から、該把持部と略直交する内側方向に所定の長さで延設された台座部とからなる装着部材と、
前記第１の外装部材の平面部と、前記第２の外装部材の平面部と、前記台座部の端面により形成された空間に封入される封入物と、
を備えるとともに、
前記第１の外装部材又は第２の外装部材の少なくとも一方が、透明又は半透明であることを特徴とする装身具。
【請求項２】
前記台座部が、前記把持部の内周面の全周にわたって形成されていることを特徴とする請求項１記載の装身具。
【請求項３】
前記封入物が、思い出や記念の対象物であるメモリアル体であることを特徴とする請求項１又は２記載の装身具。
【請求項４】
前記装着部材が、身体に装着するための吊下げ具と連結するための連結部を備えたことを特徴とする請求項１〜４のいずれか一項に記載の装身具。
【請求項５】
請求項１〜４のいずれか一項に記載の装身具の製造方法であって、
前記台座部の一方の主面に前記第１の外装部材の平面部を合わせるステップと、
前記台座部の内側であって、前記第１の外装部材の平面部上に前記封入物を載置するステップと、
前記第２の外装部材の平面部を、前記台座部の他方の主面に合わせるステップと、
前記装着部材の把持部の両縁部を曲げ加工して、前記第１の外装部材及び第２の外装部材の周縁を把持するステップと、
を含むことを特徴とする装身具の製造方法。
【発明の詳細な説明】
【技術分野】
【０００１】
本発明は、装身具及びその製造方法に関し、更に具体的には、毛髪，遺骨，写真等のメモリアル体などを封入した装身具及びその製造方法に関するものである。
【背景技術】
【０００２】
従来より、赤ちゃんが誕生した時の記念として、胎盤や胎毛（胎児に生える産毛）などを保存して身近に置くことで、その誕生や成長の喜びを感じることが行われている。また、身近な人が亡くなった場合には、その遺髪や遺骨の一部を保存して、故人の冥福を祈ったり、故人を偲ぶよすがにしたりすることもある。ペットの場合も同様である。従来は、このようなメモリアル品を箱に入れて保存することが主流であったが、近年、更に身近に感じるように携帯するための技術も各種提案されている。
【０００３】
例えば、下記特許文献１には、透明体内に体毛等の毛髪を封入した記念品において、前記透明体は、クリスタルガラス等の透明又は半透明の成形体あるいは水晶等の透明又は半透明の自然石の成形体にて形成するとともに、前記胎毛等の毛髪の封入部を形成し、前記胎毛等の毛髪を外部より透視することができるように構成した記念品が開示されている。
【０００４】
また、下記特許文献２には、遺骨、遺髪等を装身具内部に収納しておく装身具内部への遺骨等の収納構造が開示されている。具体的には、内周面に雌ねじを切った有底の円孔を穿設した装身具本体と、前記円孔にねじ込み固定するための雄ねじが外周面に切られた遺骨収納体とからなり、該遺骨収納体は前記円孔の底面に対向する面側から孔を穿設し、該孔に遺骨等を収納した状態でその開口を蓋体にて閉塞し、前記円孔にねじ込み固定した状態では外面が装身具本体の表面と一致するように構成してあることが開示されている。
【先行技術文献】
【特許文献】
【０００５】
【特許文献１】実用新案登録第３１３６６５５号公報
【特許文献２】特開２０１３−２２３５５３号公報
【発明の概要】
【発明が解決しようとする課題】
【０００６】
しかしながら、上述した特許文献１に記載の技術では、透明体の中心線に沿って開孔した貫通孔の一方に底用封止部材を設け、他方の開口部から注入した第１の封入樹脂部と、毛髪等のセット部と、その上部に注入される第２の封入樹脂部とからなる構成となっており、記念品を製造する部材や手順が多い。また、封入用の樹脂の経年劣化や変質により、封入物の見栄えが悪くなったり、封入物自体が劣化・変質等したりするおそれもある。
【０００７】
一方、前記特許文献２に記載の技術では、装身具本体に雌ねじを形成し、当該雌ねじに螺合する雄ねじが形成された蓋体によって、遺骨等を収納体の孔に収納した状態で閉塞する構成となっているため、装身具と遺骨等のメモリアル体との一体感に乏しい。
【０００８】
本発明は、以上のような点に着目したもので、少ない構成部材によって、メモリアル体等の封入物を封入し、かつ、封入物との一体感が感じられる装身具及びその製造方法を提供することを、その目的とする。
【課題を解決するための手段】
【０００９】
本発明の装身具は、平面部と、該平面部と略直交する方向へ膨出した膨出部とを有する第１の外装部材と、該第１の外装部材の平面部と略同一の形状の平面部を有し、該平面部と略直交する方向へ膨出した膨出部とを有する第２の外装部材と、前記第１の外装部材の平面部と前記第２の外装部材の平面部が対向した状態で、これら第１及び第２の外装部材の周縁全周を把持する把持部と、該把持部の幅方向中央部から、該把持部と略直交する内側方向に所定の長さで延設された台座部とからなる装着部材と、前記第１の外装部材の平面部と、前記第２の外装部材の平面部と、前記台座部の端面により形成された空間に封入される封入物と、を備えるとともに、前記第１の外装部材又は第２の外装部材の少なくとも一方が、透明又は半透明であることを特徴とする。
【００１０】
主要な形態の一つは、前記台座部が、前記把持部の内周面の全周にわたって形成されていることを特徴とする。他の形態の一つは、前記封入物が、思い出や記念の対象物であるメモリアル体であることを特徴とする。更に他の形態の一つは、前記装着部材が、身体に装着するための吊下げ具と連結するための連結部を備えたことを特徴とする。
【００１１】
本発明の装身具は、上記いずれかに記載の装身具の製造方法であって、前記台座部の一方の主面に前記第１の外装部材の平面部を合わせるステップと、前記台座部の内側であって、前記第１の外装部材の平面部上に前記封入物を載置するステップと、前記第２の外装部材の平面部を、前記台座部の他方の主面に合わせるステップと、前記装着部材の把持部の両縁部を曲げ加工して、前記第１の外装部材及び第２の外装部材の周縁を把持するステップと、を含むことを特徴とする。本発明の前記及び他の目的，特徴，利点は、以下の詳細な説明及び添付図面から明瞭になろう。
【発明の効果】
【００１２】
本発明によれば、平面部と、該平面部と略直交する方向へ膨出した膨出部とを有する第１の外装部材と、該第１の外装部材の平面部と略同一の形状の平面部を有し、該平面部と略直交する方向へ膨出した膨出部とを有する第２の外装部材と、前記第１の外装部材の平面部と前記第２の外装部材の平面部が対向した状態で、これら第１及び第２の外装部材の周縁全周を把持する把持部と、該把持部の幅方向中央部から、該把持部と略直交する内側方向に所定の長さで延設された台座部とからなる装着部材と、前記第１の外装部材の平面部と、前記第２の外装部材の平面部と、前記台座部の端面により形成された空間に封入される封入物と、を備えるとともに、前記第１の外装部材又は第２の外装部材の少なくとも一方が、透明又は半透明であることとした。このため、少ない構成部材によってメモリアル体等の封入物を封入し、かつ、封入物との一体感が高い装身具を得ることができる。また、美観を高めて装身具としての価値と、メモリアル品としての意義を高めることができる。
【００１３】
また、上記の装身具の製造を、前記台座部の一方の主面に前記第１の外装部材の平面部を合わせるステップと、前記台座部の内側であって、前記第１の外装部材の平面部上に前記封入物を乗せるステップと、前記第２の外装部材の平面部を、前記台座部の他方の主面に合わせるステップと、前記装着部材の把持部の両端部を曲げ加工して、前記第１の外装部材及び第２の外装部材の周縁を把持し、固定するステップと、により行うこととした。このため、少ない構成部材によってメモリアル体等の封入物を封入した装身具を容易に製造することができる。
【図面の簡単な説明】
【００１４】
【図１】本発明の実施例１の装身具を示す図であり、(A)は外観斜視図，(B)は正面図，(C)は背面図である。
【図２】前記実施例１の装身具の組み立て前の分解斜視図である。
【図３】前記実施例１の装身具の一対の外装部材を示す図であり、(A)は側面図,(B)は底面図である。
【図４】前記実施例１の装身具の装着部材を示す図であり、(A)は外観斜視図，(B)は前記(A)を＃Ａ−＃Ａ線に沿って切断し矢印方向に見た断面図である。
【図５】前記実施例１の装身具の製作手順の一例を示す断面図である。
【図６】前記実施例１の装身具の製作手順の一例を示す断面図である。
【図７】本発明の実施例２の装身具を示す図であり、(A)は正面図，(B)は組立前の分解斜視図である。
【図８】本発明の実施例３の装身具を示す図であり、(A)は断面図及びその一部拡大図，(B)は変形例を示す断面図である。
【図９】図９(A)は本発明の実施例４の装身具を示す外観斜視図であり、図９(B)は本発明の実施例５の装身具を示す正面図である。
【図１０】本発明の装身具の使用例の一例を示す図である。
【発明を実施するための形態】
【００１５】
以下、本発明を実施するための最良の形態を、実施例に基づいて詳細に説明する。
【実施例１】
【００１６】
最初に、図１〜図６を参照しながら本発明の実施例１を説明する。図１は、本実施例の装身具を示す図であり、(A)は外観斜視図，(B)は正面図，(C)は背面図である。図２は、本実施例の装身具の組み立て前の分解斜視図である。図３は、本実施例の装身具の一対の外装部材を示す図であり、(A)は側面図，(B)は底面図である。図４は、本実施例の装身具の装着部材を示す図であり、(A)は外観斜視図，(B)は前記(A)を＃Ａ−＃Ａ線に沿って切断し矢印方向に見た断面図である。図５及び図６は、本実施例の装身具の製作手順の一例を示す断面図である。
【００１７】
図１及び図２に示すように、本実施例の装身具１０は、一対の外装部材２０，３０と、これらの外装部材２０,３０の周縁２４，２６を把持する把持部４２を備えた装着部材４０と、該装着部材４０の内周側に延設された台座部４４と前記一対の外装部材２０，３０の平面部２２,３２とによって形成された封入空間４８に封入された封入物１２により構成される。
【００１８】
封入物１２としては、様々なものが挙げられるが、メモリアル体（思い出や記念の対象物）を封入することができる。メモリアル体としては、子供の誕生記念としての胎盤や胎毛，家族やペットの遺品としての遺髪，爪，遺骨などがある。ペットの場合には、毛のみでなく、ひげや羽根などであってもよい。このほか、甲子園の砂や、ゴルフ場の芝などの植物、あるいは、何らかの記念の写真，鉱物，コインあるいは仏像などであってもよい。図示の例では、前記封入物１２として、胎毛を封入することとしている。
【００１９】
一方の外装部材２０は、図２及び図３に示すように、略楕円形の平面部２２と、該平面部２２と略直交する方向に膨出した膨出部２６を有する成形体である。他方の外装部材３０も同様の構成となっており、前記平面部２２と略同一形状の平面部３２と、該平面部３２と略直交する方向に膨出した膨出部３６を有する成形体である。これら外装部材２０，３０は、無色透明ないし乳白色（半透明）であり、前記封入物１２を装身具１０の外部から視認できるようになっている。
【００２０】
前記外装部材２０,３０としては、例えば、天然石，宝石，ガラス，樹脂などが使用される。また、本実施例では、一方の外装部材３０の平面部３２に、彫りによる表示３８が設けられている。図示の例では、例えば、「AKARI 2017.XX.XX」といった年月日が表示されている。上述したように、本実施例では、封入物１２として胎毛を封入しているため、例えば、その子供の名前と誕生日を記念に彫るという具合である。
【００２１】
前記装着部材４０は、図４(A)及び(B)に示すように、一対の外装部材２０，３０の平面部の周縁２４，３４の全周を把持する略楕円形の環状の把持部４２と、該把持部４２の幅方向中央部から、該把持部４２と略直交する方向に所定の長さで内側へ向けて延設された台座部４４からなる。前記台座部４４は、所定の厚さ（図６(B)の厚さＩＡ参照）を有している。この台座部４４の厚さＩＡは、封入物１２の厚さとほぼ同じか、それよりも若干厚くなる程度に設定されている。
【００２２】
前記台座部４４は、本実施例では、前記環状の把持部４２の内周面の全周にわたってリング状に形成されている。すなわち、台座部４４の中心には、略楕円形の開口部４６が形成されている。前記台座部４４の一方の台座面４４Ａは一方の外装部材２０の平面部２２を受けるものであり、他方の台座面４４Ｂは他方の外装部材３０の平面部３２を受けるものである。
【００２３】
前記装着部材４０は、貫通孔５２を有する連結部５０を有する。該連結部５０は、ペンダント用のチェーン５４（図１(A)参照）など、使用者が身に着けるための吊下げ具を通すためのものである。このような装着部材４０は、全体が例えば、金，銀，プラチナ，ステンレス，チタンなどによって形成される。むろん、このほかにも、公知の各種の金属全般を使用するようにしてよい。
【００２４】
次に、図５及び図６を参照して、本実施例の装身具１０の製作手順の一例を説明する。まず、図５(A)に示すように、前記台座部４４の一方の台座面４４Ａに、一方の外装部材２０の平面部３２を合わせ、前記台座部４４の開口部４６内であって、前記外装部材２０の平面部３２上に、前記封入物１２を載置する。そして、他方の外装部材３０の平面部３２を、前記台座部４４の他方の台座面４４Ｂに合わせることで、図５(B)に示すように、一方の外装部材２０の平面部２２と、他方の外装部材３０の底面部３２と、リング状の台座部４４の端面４４Ｃによって形成される封入空間４８に封入物１２が封入された状態となる。
【００２５】
本実施例では、台座部４４の厚みＩＡが、封入物１２の厚みとほぼ同程度であるため、接着剤などを利用することなく、一対の外装部材２０，３０で封入物１２を挟んで、その位置を固定することができる。そして、この状態のまま、図６(A)に示すように、前記把持部４４の両縁部４２Ａ,４２Ｂを、同図に矢印で示すように、外装部材２０，３０の膨出部２６，３６に沿うように曲げ加工することで、図６(B)に示すように、接着剤等を一切使わずに、装身具１０の製作が完了する。
【００２６】
以上の手順で製作した装身具１０は、例えば、図１(A)に示すように、前記連結部５０の貫通孔５２にチェーン５４を通すことでペンダントして使用することができる。また、本実施例では、一方の外装部材３０の底面３２に表示３８を彫っているため、図１(B)に示すように、外装部材２０側から見ると封入物１２がよく見え、図１(C)に示すように、外装部材３０側からみると、前記表示３８がよく確認できるとともに、該表示３８の奥に封入物１２が見えるようになる。
【００２７】
このように、実施例１によれば、次のような効果がある。
(1)一対の外装部材２０，３０の平面部２２,３２と、前記平面部２２，３２を対向させた状態でその周縁全周を把持する把持部４２及び前記平面部２２,３２を受ける台座面４４Ａ,４４Ｂを有する略リング状の台座部４４とからなる装着部材４０と、前記平面部２２,３２と前記台座部４４の端面４４Ｃにより形成された封入空間４８に封入される封入物１２によって装身具１０を形成することとした。このため、少ない構成部材によって、メモリアル体等の封入物１２を封入し、かつ、封入物１２との一体感が高い装身具１０が得られる。また、美観を高めて装身具としての価値と、メモリアル品としての意義を高めることができる。更に、上述した背景技術（特許文献１）では、本体の筒状の穴の上から封入物を入れていたため、封入物の形状が限定的であったが、本発明によれば、一対の外装部材２０，３０に封入物１２を挟み込むため、封入物１２の形状のバリエーションも広がるという効果がある。
(2)前記台座部４４の厚みＩＡを調整することにより、様々な封入物１２を封入することができる。
【００２８】
(3)前記封入物１２を挟んだ一対の外装部材２０,３０を、装着部材４０の把持部４２の縁部４２Ａ，４２Ｂの曲げ加工によって把持することとしたので、製造が容易である。また樹脂の充填剤や接着剤などを使用する必要がないため、これらの経年劣化や変質等によって引き起こされる封入物１２の劣化や変質を生じることがない。
(4)一対の外装部材２０，３０を透明又は半透明の部材で構成することとしたので、封入物１２を外部から視認しやすい。
(5)一方の外装部材３２の平面部３２に表示３８を設けることとしたので、封入物１２に関連したメモリアル情報などを記しておくことができる。
【実施例２】
【００２９】
次に、図７を参照しながら本発明の実施例２を説明する。なお、上述した実施例１と同一ないし対応する構成要素には同一の符号を用いることとする（以下の実施例についても同様）。図７は、実施例２の装身具を示す図であり、(A)は正面図，(B)は組立前の分解斜視図である。上述した実施例１は、台座部の開口部を把持部の形状と同形状としたものであるが、本実施例は、台座部の開口部の形状を、把持部の外形形状と異なる形状とした例である。
【００３０】
図７(A)及び(B)に示すように、本実施例の装身具１００は、一対の外装部材２０，３０と、これらを把持する装着部材１１０と、装身具１００内に封入される封入物１４により構成される。前記外装部材２０，３０の構成は、前記実施例１と同様である。本実施例の装着部材１１０は、略楕円形の把持部１１２と、その幅中央部から略直交する内側方向へ延設された台座部１１４により構成されている。前記把持部１１２は、前記連結部５０を備えている。
【００３１】
本実施例では、図７(B)に示すように、前記台座部１１４の開口部１１６がハート型となっており、把持部１１２の楕円形とは異なる形状となっている。そして、封入物１４も、毛髪を略ハート型に成形したものが用いられる。そして、前記台座部１１４の一方の台座面１１４Ａに外装部材２０の平面部２２を合わせ、封入物１１４を平面部２２に載置し、台座部１１４の他方の台座面（図示せず）に他方の外装部材３０を合わせ、前記把持部１１２の縁部１１２Ａ,１１２Ｂを曲げ加工すると、ハート型の封入空間１１８に封入物１１４が封入された装身具１００ができる。装身具１００の連結部５０には、前記実施例１と同様のチェーン５４を通してもよいし、図７(A)に示すようにボールチェーン５６を通すようにしてもよい。
【００３２】
本実施例の基本的な作用・効果は上述した実施例１と同様であるが、本実施例によれば、装着部材１１０の台座部１１４の開口部１１６の形状を、把持部１１２の形状と異なることとしたので、封入物１４の形状に応じたデザインにすることができるなどの利点がある。
【実施例３】
【００３３】
次に、図８を参照しながら本発明の実施例３を説明する。図８は、実施例３の装身具を示す図であり、(A)は断面図及びその一部拡大図，(B)は変形例を示す断面図である。図８(A)に示す装身具１０Ａは、基本的な構造は、上述した実施例１と同様であるが、装着部材の台座部４４の厚みＩＢが、実施例１の厚みＩＡよりも薄い例である。この場合、外装部材２０,３０の平面部２２，３２と、台座部４４の端面４４Ｃにより形成される封入空間４８Ａも薄くなるため、例えば、図８(A)の拡大図に示す封入物１６のように、砂状のものなどを封入することができる。また、薄い紙面などを挟みこむようにしてもよい。
【００３４】
一方、図８(B)に示す変形例の装身具１０Ｂのように、前記台座部４４の厚みＩＣを、前記実施例１の台座部４４の厚みＩＡよりも厚くし、外装部材２０,３０の平面部２２，３２と、台座部４４の端面４４Ｃにより形成される封入空間４８Ｂに、厚みのある封入物１８（例えば、小さな仏像や鉱物など）を封入するようにしてもよい。この場合、必要であれば、前記封入物１８の位置決めをする程度に微量の樹脂等を用いて外装部材３０の平面部３２に封入物１８を固定してもよい。また、前記厚みのある封入空間４８Ｂに、砂状の封入物１６などを封入し、封入空間４８Ｂの内部で封入物１６が動く構成としてもよい。本実施例の基本的な作用・効果は、上述した実施例１と同様である。
【実施例４】
【００３５】
次に、図９(A)を参照しながら本発明の実施例４を説明する。図９(A)は本実施例の装身具を示す外観斜視図である。図９(A)に示すように、本発明の装身具は、用途等に応じて大きさを様々に変えることができる。図９(A)の左側に示す装身具１０は、実施例１と同様の大きさであり、図９(A)の中央に示す装身具１０Ｃは、前記装身具１０よりも全体の大きさが大きい例であり、図９(A)の右側に示す装身具１０Ｄは、前記装身具１０Ｃよりも更に全体の大きさが大きい例である。このように、本発明の装身具は、大きさを自由に設定可能である。
【実施例５】
【００３６】
次に、図９(B)を参照しながら本発明の実施例５を説明する。図９(B)は本実施例の装身具を示す平面図であって、形状のバリエーションを示すものである。まず、図９(B)の左上に示す装身具１５０は、一対の外装部材１５２，１５４と、これらを両縁部１６０Ａ，１６０Ｂで把持する装着部材１６０と、封入物１４により構成される。一対の外装部材１５２，１５４はしずく型であり、装着部材１６０の内側に形成される台座面１６２Ａ，１６２Ｂも同形状のしずく型となっている。このため、台座部の内側に形成される封入空間１６４もしずく型である。
【００３７】
図９(B)の右上に示す装身具１７０は、一対の外装部材１７２，１７４と、これらを両縁部１８０Ａ，１８０Ｂで把持する装着部材１８０と、封入物１４により構成される。一対の外装部材１７２，１７４は、図示の例では円形であり、装着部材１８０の内側に形成される台座面１８２Ａ，１８２Ｂも同形状の円形となっている。このため、台座部の中央に形成される封入空間１８４も円形である。
【００３８】
図９(B)の左下に示す装身具１９０は、一対の外装部材１９２，１９４と、これらを両縁部２００Ａ，２００Ｂで把持する装着部材２００と、封入物１４により構成される。一対の外装部材１９２，１９４は、図示の例ではハート型であり、装着部材２００の内側に形成される台座面２０２Ａ，２０２Ｂは、中央に円形の開口部を有している。このため、台座部の中央に形成される封入空間２０４は、装着部材１８０のハート型とは異なり円形となっている。
【００３９】
図９(B)の右下に示す装身具２１０は、一対の外装部材２１２，２１４と、これらを両縁部２２０Ａ，２２０Ｂで把持する装着部材２２０と封入物１４により構成される。一対の外装部材２１２，２１４は、図示の例では、角を落とした正方形であり、装着部材２２０の内側に形成される台座面２２２Ａ，２２２Ｂは、中央に略正方形の開口部を有している。このため、台座部の中央に形成される封入空間２２４は略正方形である。
【００４０】
なお、本実施例の基本的な作用・効果は、形状にかかわらず、上述した実施例１と同様であるが、本実施例によれば、外装部材の形状と、台座部の形状（ないし収納空間の形状）をかえることで、様々なバリエーションの装身具をつくることができる。また、上述した実施例では、いずれも、台座部を把持部の内周の全周にわたって設けることとしたが、後述する図１０(C)に示す例のように、一対の外装部品の平面部を受け、これらの平面部の間に封入空間を形成することができるのであれば、必ずしも全周に設ける必要はなく、一部が分断していてもよいし、複数の台座が内側に向けて延設されるような構成としてもよい。
【００４１】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。
(2)前記実施例で示した材質も一例であり、同様の効果を奏する範囲内で適宜変更してよい。
(3)前記実施例１では、一対の外装部材２０，３０の双方を無色透明又は乳白色としたが、いずれか一方のみを無色透明又は乳白色としてもよい。また、透光性があれば、有色のものであってもよい。他の実施例についても同様である。
(4)前記実施例では、外装部材３０の平面部３２に表示３８を設けることとしたが、これも一例であり、必要に応じて設けるようにすればよい。また一対の外装部材の双方の平面部に何等かの文字等を設けるようにしてもよい。
【００４２】
(5)前記実施例では、本発明の装身具をペンダントに使用する例を示したがこれも一例であり、他の公知の各種の装身具として使用してよい。また、装着部材の連結部５０に通す吊下げ具も適宜変更可能である。例えば、図１０(A)に示すように、チェーン５４やボールチェーン５６の代わりに、紐５８を通してもよいし、図１０(B)に示すように、ストラップチャーム２３０として使用してもよい。図１０(B)では、略円筒状の金具２３２の一方の端部に、前記連結部５０の貫通孔５２に通すリング２３４が設けられており、他方の端部に、環状の紐２４０が設けられている。このほか、指輪やブレスレットなど、他の公知の各種の装身具全般に、本発明は適用可能である。
【００４３】
更に、図１０(C)に示す装身具２５０のように、ブローチ金具２８０に吊下げてブローチとして使用してもよい。前記装身具２５０は、一対の外装部材２５２，２５４と、これらを両縁部２６０Ａ，２６０Ｂで把持する装着部材２６０と封入物１４により構成される。一対の外装部材２５２，２５４は、図示の例では略楕円形であり、装着部材２６０の内側には、上側と下側に分かれて、略半月状の台座面２６２Ａ，２６２Ｂと、略半月状の台座面２６４Ａ，２６４Ｂが設けられている。本実施例では、上述した例とは異なり、台座が装着部材の内周面の全周に沿って設けられておらず、中央部で分断されている。このため、封入物１４の封入空間２６６は、短辺が緩やかな弧状の略長方形となっている。前記装着部材２６０には、貫通孔を有する連結部２７０が設けられている。一方、ブローチ金具１８０は、開閉しない側のピンの一部に貫通孔を有する取付け部２８２を有しており、連結部２７０の開口部と取付け部２８２の開口部をリング２８４で連結することで、装身具２５０をブローチとして使用することができる。なお、上述した全ての実施例において、連結部は必要に応じて設ければよく、連結部を外して記念メダルのように使用してもよいし、下に別途台座を設けて置物として使用することを妨げるものではない。
【００４４】
(6)前記実施例で示した封入物の種類や形状，厚み，素材は一例であり、装身具の使用者が記念や思い出としてもっていたいものであれば、どのようなものであってもよい。例えば、赤ちゃんや故人でなくても、断髪式などで切った髪を封入するようにしてもよい。また、例えば、封入物全般について、デザイン性を加え質感を高め、それを維持するために、必要に応じて樹脂コーティングなどを施した上で、封入するようにしてもよい。
【産業上の利用可能性】
【００４５】
本発明によれば、平面部と、該平面部と略直交する方向へ膨出した膨出部とを有する第１の外装部材と、該第１の外装部材の平面部と略同一の形状の平面部を有し、該平面部と略直交する方向へ膨出した膨出部とを有する第２の外装部材と、前記第１の外装部材の平面部と前記第２の外装部材の平面部が対向した状態で、これら第１及び第２の外装部材の周縁全周を把持する把持部と、該把持部の幅方向中央部から、該把持部と略直交する内側方向に所定の長さで延設された台座部とからなる装着部材と、前記第１の外装部材の平面部と、前記第２の外装部材の平面部と、前記台座部の端面により形成された空間に封入される封入物と、を備えるとともに、前記第１の外装部材又は第２の外装部材の少なくとも一方が、透明又は半透明であることとした。このため、少ない構成部材によって封入物を封入し、かつ、封入物との高い一体感が得られるため、装身具の用途に適用できる。特に、メモリアル体などを封入したメモリアル品としての装身具の用途に好適である。
【符号の説明】
【００４６】
１０，１０Ａ〜１０Ｄ：装身具
１２，１４，１６，１８：封入物
２０，３０：外装部材
２２，３２：平面部
２４，３４：周縁
２６，３６：膨出部
３８：表示
４０：装着部材
４２：把持部
４２Ａ，４２Ｂ：縁部
４４：台座部
４４Ａ，４４Ｂ：台座面
４４Ｃ：端面
４６：開口部
４８，４８Ａ，４８Ｂ：封入空間
５０：連結部
５２：貫通孔
５４：チェーン
５６：ボールチェーン
５８：紐
１００：装身具
１１０：装着部材
１１２：把持部
１１２Ａ，１１２Ｂ：縁部
１１４：台座部
１１４Ａ，１１４Ｂ：台座面
１１４Ｃ：端面
１１６：開口部
１１８：封入空間
１５０，１７０，１９０，２１０：装身具
１５２，１５４，１７２，１７４，１９２，１９４，２１２，２１４：外装部材
１６０，１８０，２００，２２０：装着部材
１６０Ａ，１６０Ｂ，１８０Ａ，１８０Ｂ，２００Ａ，２００Ｂ，２２０Ａ，２２０Ｂ：縁部
１６２Ａ，１６２Ｂ，１８２Ａ，１８２Ｂ，２０２Ａ，２０２Ｂ，２２２Ａ，２２２Ｂ：台座面
１６４，１８４，２０４，２２４：封入空間
２３０：ストラップチャーム
２３２：金具
２３４：リング
２４０：紐
２５０：装身具
２５２，２５４：外装部材
２６０：装着部材
２６０Ａ，２６０Ｂ：縁部
２６２Ａ，２６２Ｂ，２６４Ａ，２６４Ｂ：台座面
２６６：封入空間
２７０：連結部
２８０：ブローチ金具
２８２：取付け部
２８４：リング
ＩＡ〜ＩＣ：厚み
【図１】
2019097654.tif 000003
【図２】
2019097654.tif 000004
【図３】
2019097654.tif 000005
【図４】
2019097654.tif 000006
【図５】
2019097654.tif 000007
【図６】
2019097654.tif 000008
【図７】
2019097654.tif 000009
【図８】
2019097654.tif 000010
【図９】
2019097654.tif 000011
【図１０】
2019097654.tif 000012